(57)【要約】【課題】  本実施形態は、ユーザに違和感を覚えさせることなく、BD/DVD再生プレーヤの電源のON/OFF状態をユーザに提示することができるBD/DVD内蔵TVコンボ装置を提供することを目的とする。【解決手段】  本実施形態のBD/DVD内蔵TVコンボ装置は、TV手段，BD/DVD再生手段及び表示手段に電力を供給する電源手段と、電源手段を少なくとも制御する制御手段とを同一筐体内に備えたBD/DVD内蔵TVコンボ装置であって、BD/DVD再生手段への電源手段からの電力の供給状況を、表示手段に出力するように構成することを特徴とする。【選択図】  図２
2013191251.tif 000002
【特許請求の範囲】
【請求項１】
TV信号を処理するTV手段と、
BDディスク若しくはDVDディスクを再生するBD/DVD再生手段と、
前記TV手段及び前記BD/DVD再生手段からの信号を表示する表示手段と、
前記TV手段，前記BD/DVD再生手段及び前記表示手段に電力を供給する電源手段と、
前記電源手段を少なくとも制御する制御手段と
を同一筐体内に備えたBD/DVD内蔵TVコンボ装置であって、
前記BD/DVD再生手段への前記電源手段からの電力の供給状況を、前記表示手段に出力するように構成することを特徴とするBD/DVD内蔵TVコンボ装置。
【請求項２】
前記制御手段を、前記BD/DVD再生手段への前記電源手段からの電力の供給を停止する旨を前記表示手段に出力した後、前記電源手段からの電力の供給を停止するように構成したことを特徴とする請求項１記載のBD/DVD内蔵TVコンボ装置。
【請求項３】
前記制御手段を、前記BD/DVD再生手段への前記電源手段からの電力の供給状況を前記表示手段に出力した後、所定の指示があった場合には、前記BD/DVD再生手段への前記電源手段からの電力の供給を延長するように構成したことを特徴とする請求項１または２記載のBD/DVD内蔵TVコンボ装置。
【請求項４】
前記制御手段を、前記BD/DVD再生手段への前記電源手段からの電力の供給状況を、前記TV手段によるチャンネル切り替え時に前記表示手段に出力するように構成したことを特徴とする請求項１記載のBD/DVD内蔵TVコンボ装置。
【請求項５】
前記制御手段を、前記BD/DVD再生手段への前記電源手段からの電力の供給状況を、前記TV信号の関連情報とともに前記表示手段に出力するように構成したことを特徴とする請求項４記載のBD/DVD内蔵TVコンボ装置。
【請求項６】
前記TV手段に、前記BD/DVD再生手段への前記電源手段からの電力の供給状況を示すBD/DVD再生手段の電源ON/OFF状態表示手段を備えることを特徴とする請求項１記載のBD/DVD内蔵TVコンボ装置。
【発明の詳細な説明】
【技術分野】
【０００１】
本実施形態は、映像及び音声を出力できるTV等の映像表示装置に関し、特に、BDディスクやDVDディスクも再生可能なBD/DVD内蔵TVコンボ装置に関する。
【背景技術】
【０００２】
従来、複数の入出力機能デバイスを有するTVであって、複数の入出力機能デバイスへの電源供給のONとOFFとを、指定の設定画面からユーザが自分自身で設定する装置が知られている。
【先行技術文献】
【特許文献】
【０００３】
【特許文献１】特開2011-2289867号公報
【発明の概要】
【発明が解決しようとする課題】
【０００４】
従来の装置は、ユーザがユーザ自身で個々の入出力デバイスのONとOFFとを設定しているため、個々の入出力機能デバイスの設定を理解している。
【０００５】
また、TVにBD/DVD再生プレーヤを内蔵したTV(以下、BD/DVD内蔵TVコンボ装置と記す)が知られているが、装置全体の消費電力を抑える目的で、例えば、標準設定の場合は、TVの電源ONすることでBD/DVD再生プレーヤも電源ONさせ、省エネ設定の場合は、BD/DVD再生プレーヤは、使用する場合に電源がONになる装置が知られている。
【０００６】
そして、該BD/DVD内蔵TVコンボ装置の場合、ユーザは、標準設定の場合、TVの電源ONすることでBD/DVD再生プレーヤも電源ONされていると前提を持っている。しかしながら、ユーザ設定から時間が経過すると、ユーザは、標準設定としたのか、省エネ設定としたかを忘れてしまう場合があり、省エネ設定としたにも関わらず、標準設定と勘違いしてしまうと、BD/DVD再生プレーヤを使用する際に、装置内ではBD/DVD再生プレーヤの電源ONから順次処理する必要があるため、起動に時間を要してしまい、ユーザは違和感を覚えるという問題点があった。
【０００７】
また標準設定にした場合でも、TVの電源ONした最初はBD/DVD再生プレーヤも電源ONしているため、BD/DVDの再生を行った際に直ぐに再生出来るため違和感が無いが、BD/DVD再生プレーヤが一定時間未使用の場合、BD/DVD再生プレーヤの電源がOFFされてしまい、いざBD/DVD再生プレーヤを使用する際、装置内ではBD/DVD再生プレーヤの電源ONから順次処理する必要があるため、起動に時間を要してしまい、ユーザは違和感を覚えるという問題点があった。
【０００８】
本実施形態は、ユーザに違和感を覚えさせることなく、BD/DVD再生プレーヤの電源のON/OFF状態をユーザに提示することができるBD/DVD内蔵TVコンボ装置を提供することを目的とする。
【課題を解決するための手段】
【０００９】
上記目的を達成するために、本実施形態のBD/DVD内蔵TVコンボ装置は、TV信号を処理するTV手段と、
BDディスク若しくはDVDディスクを再生するBD/DVD再生手段と、
前記TV手段及び前記BD/DVD再生手段からの信号を表示する表示手段と、
前記TV手段，前記BD/DVD再生手段及び前記表示手段に電力を供給する電源手段と、
前記電源手段を少なくとも制御する制御手段と
を同一筐体内に備えたBD/DVD内蔵TVコンボ装置であって、
前記BD/DVD再生手段への前記電源手段からの電力の供給状況を、前記表示手段に出力するように構成することを特徴とする
そして、本実施形態によれば、BD/DVD再生手段の電源のON/OFFをユーザに提示することができる。
【００１０】
また、前記制御手段を、前記BD/DVD再生手段への前記電源手段からの電力の供給を停止する旨を前記表示手段に出力した後、前記電源手段からの電力の供給を停止するように構成したことを特徴とする。
【００１１】
そして、本実施形態によれば、BD/DVD再生手段が、もうすぐ電源OFFになる事をユーザに知らせて、状況を認識させる事が出来る。
【００１２】
また、前記制御手段を、前記BD/DVD再生手段への前記電源手段からの電力の供給状況を前記表示手段に出力した後、所定の指示があった場合には、前記BD/DVD再生手段への前記電源手段からの電力の供給を延長するように構成したことを特徴とする。
【００１３】
そして、ユーザに、BD/DVD再生手段の電源のON/OFFタイミングを選択させることができる。また、これからBD/DVD再生手段を使用したいと思っていた場合、BD/DVD再生手段の電源OFFを止める事が出来、時間を要する事無く使用可能となる。
【００１４】
また、前記制御手段を、前記BD/DVD再生手段への前記電源手段からの電力の供給状況を、前記TV手段によるチャンネル切り替え時に前記表示手段に出力するように構成したことを特徴とする。
【００１５】
そして、ユーザが、前記BD/DVD再生手段への前記電源手段からの電力の供給を停止する旨の表示を見落とした場合でも、ユーザに状況を知らせる事が出来る。
【００１６】
また、前記制御手段を、前記BD/DVD再生手段への前記電源手段からの電力の供給状況を、前記TV信号の関連情報とともに前記表示手段に出力するように構成したことを特徴とする。
【００１７】
そして、BD/DVD再生手段の電源のON/OFF状況を、TV信号の関連情報(例えば、放送局名，チャンネル等)ともに表示させるので、ユーザは見逃すことがない。
【００１８】
また、前記TV手段に、前記BD/DVD再生手段への前記電源手段からの電力の供給状況を示すBD/DVD再生手段の電源ON/OFF状態表示手段を備えることを特徴とする。
【００１９】
そして、BD/DVD再生手段の電源ON/OFF状態表示手段で、ユーザは、常にBD/DVD再生手段の電源のON/OFF状況を把握することができる。
【図面の簡単な説明】
【００２０】
【図１】一実施の形態によるBD/DVD内蔵TVコンボ装置のブロック図。
【図２】同実施の形態にかかわるBD/DVD内蔵TVコンボ装置における処理のフローチャート。
【図３】同実施の形態にかかわるBD/DVD内蔵TVコンボ装置の画面例その1。
【図４】同実施の形態にかかわるBD/DVD内蔵TVコンボ装置の画面例その2。
【図５】同実施の形態にかかわるBD/DVD内蔵TVコンボ装置の画面例その3。
【図６】同実施の形態にかかわるBD/DVD内蔵TVコンボ装置のLEDの点灯例。
【発明を実施するための形態】
【００２１】
以下、図面を参照して本実施の形態を説明する。
【００２２】
図１は、この実施の形態で説明するBD/DVD内蔵TVコンボ装置1000のブロック図を示している。
【００２３】
なお、BD/DVD内蔵TVコンボ装置1000は、TVにBD再生，DVD再生機能を内蔵していることを前提としているが、これに限定されるものではなく、例えば、BD再生，DVD再生機能のどちらか一方でもよく、さらにBD記録，DVD記録機能を備えてもよいとともに、これらにHDDを持たせてもよい。
【００２４】
BD/DVD内蔵TVコンボ装置1000は、TV機能を実現するTV部200(アンテナ210，チューナ220を含む)と、BD/DVDディスク900を再生するBD/DVD部300とを含み、これらからの映像信号及び音声信号を出力する表示部100と音声出力部110とを備える。これらは制御部500で制御されるとともに、外部からの電力を電源400を介してBD/DVD内蔵TVコンボ装置1000に取り込む。なお、後述する所定時間経過後、電源400からTV部200及びBD/DVD部300への電力の供給/停止(TV部200及びBD/DVD部300のON/OFF)も、制御部500で制御される。
【００２５】
図２は、同実施の形態にかかわるBD/DVD内蔵TVコンボ装置1000におけるBD/DVD部300の自動電源OFF時における表示の処理のフローチャートである。
【００２６】
なお、図２では、BD/DVD部300としてBDプレーヤを想定するとともに、該BD/DVD部300が動作していない(例えば、TV部200を動作させ、ユーザが表示部100でTV視聴をしている状態)が30分以上経過すると、BD/DVD内蔵TVコンボ装置1000全体の消費電力を抑えるために、利用されていないBD/DVD部300の電源を自動的にOFFする設定がなされていることとする。これらの設定は、BD/DVD内蔵TVコンボ装置1000出荷時の初期設定でなされていてもよいし、初期設定でユーザに指定させてもよいが、設定は、制御部500が図示しない内部タイマーを所定時間にセットすることにより実現できる。
【００２７】
TV部の自動電源OFFは、標準設定として、例えば、ユーザからの電源OFF指示がないと電源OFFしない設定とするとともに、BD/DVD部300は、30分動作がないと自動的に電源OFFするように、30分タイマーセットを行う(ステップS201)。制御部500は、BD/DVD部300が動作しているか否かとして、BD/DVD部300から表示部100に対して、BD/DVD(BDプレーヤを想定しているため、BDディスクに加えてDVDディスクも再生可能)画面か否かをチェックし(ステップS202)、Yesの場合は、BD/DVD部300が動作中のため、BD/DVD部300の電源をOFFしないように、30分タイマーをクリアする(ステップS203)。
【００２８】
ステップS202で、Noの場合は、BD/DVD部300は動作していない(例えば、TV部200が動作中)と判断し、30分タイマーを起動する(ステップS204)。BD/DVD部300は動作していない状態が30分継続しているか否かをチェックし(ステップS205)、Noの場合は、30分タイマーをカウントアップする(ステップS206)。
【００２９】
ステップS205でYesの場合(30分経過した場合)、制御部500は、表示部100にBD/DVD部300の電源OFFを行う旨の表示(例えば、OSD(On-Screen Display)表示として、「BDプレーヤの電源をOFFします。」)を行う(ステップS207)。
【００３０】
具体的な表示例は、図３に示すように、BD/DVD内蔵TVコンボ装置1000の表示部100の下部に、OSD305で、「BDプレーヤの電源をOFFします。」と表示する。
【００３１】
これにより、ユーザは、表示部100に、BD/DVD部300の電源がOFFになったことを認識できる。
【００３２】
さらに、ステップS208で、制御部500は、ユーザがこのままBD/DVD部300の電源がOFFになってもよいのか否かを確認するために、図４に示すようなOSD308(BDプレーヤの電源をOFFを延長しますか?)を表示部100に表示させる(ステップS208)。ここでYesの場合(ユーザがBD/DVD部300の電源をOFFして欲しくない)は、30分タイマーをリセットし(ステップS209)、ステップS204に戻る。
【００３３】
ステップS208でNoの場合は、ユーザは、例えばTV部200の動作、即ちTV視聴を続けて、BDプレーヤは使用しないので、BD/DVD内蔵TVコンボ装置1000の消費電力を抑えるために、制御部500は、電源400からBD/DVD部300への電力供給をOFFする(ステップS210)。
【００３４】
なお、上記実施の形態では、ステップS207の後、ステップS208で図４のような確認画面を出したが、ステップS207で、所定時間(例えば、10秒間)表示させた後、ステップS210に進んでBD/DVD部300の電源をOFFするようにしてもよい。
【００３５】
また、図３では、ユーザにBD/DVD部300の電源OFFを知らせるために、OSD305のような表示を行ったが、これに限られるものではない。
【００３６】
図５は、実施の形態にかかわるBD/DVD内蔵TVコンボ装置1000の画面例の他の例で、図３と異なるのは、OSDの表示タイミングと内容である。図３では、OSD305を一時的に表示するものであったが、該表示をユーザが見逃してしまえば気が付かない事もあり得る。そこで、BD/DVD内蔵TVコンボ装置1000を操作する図示しないリモコンで、TV部300のチューナ220のチャンネルを切り換えた際に、自動的に放送局等を表示させているが、この時一緒にBD/DVD部300の状態を表示させる例である。
【００３７】
具体的には、チャンネル切り替え時の画面表示410内に、通常のチャンネル表示415に加えて、BD/DVD部300の状態表示418を行う。
【００３８】
なお、上記以外に、図示しないリモコンの「画面表示」を押すことにより、BD/DVD部300の状態表示418を行わせてもよい。
【００３９】
さらに、BD/DVD部300の状態の表示は、表示部100に限る必要はなく、図６に示すように、BD/DVD内蔵TVコンボ装置1000の表示部100の縁部分に、3個のLED511，512，513を設け、これらのON/OFFでBD/DVD部300の状態をユーザに示すことも可能である。
【００４０】
具体的には、図６のLED511は、BD/DVD部300の電源のON/OFF状態を示し、LED512は、BD/DVD内蔵TVコンボ装置1000全体の目覚まし，オフタイマ(例えば、ユーザがAM07:00ON，PM11:30OFFと設定すると、時間になると自動で電源ON/OFFを行う)のON/OFF状態を示し、LED513は、TV部200の電源のON/OFF状態を示すものである。
【００４１】
図６(a)は、BD/DVD部300の電源がONの時の状態を示し、図６(b)は、BD/DVD部300の電源がOFFの時の状態を示す。なお、図６(a)，(b)いずれの場合も、BD/DVD内蔵TVコンボ装置1000全体の目覚まし，オフタイマは、OFFに設定させられているものとする(このため、LED512は、消灯状態)。
【００４２】
図６(a)において、BD/DVD部300の電源がONの場合(例えば、BDプレーヤを再生中)、LED511，513が点灯しているが、図６(b)の状態になると、LED513は点灯したままだが、LED511が点灯から消灯となる。ユーザは、LED511の点灯/消灯をチェックすることにより、BD/DVD部300の電源のON/OFFを一目で判断することができる。
【符号の説明】
【００４３】
100  表示部
110  音声出力部
200  TV部
210  アンテナ
220  チューナ
300  BD/DVD部
305，308  OSD
400  電源
410  画面表示
415  チャンネル表示
418  BD/DVD部300の状態表示
500  制御部
511，512，513  LED
900  BD/DVDディスク
1000  BD/DVD内蔵TVコンボ装置
【図１】
2013191251.tif 000003
【図２】
2013191251.tif 000004
【図３】
2013191251.tif 000005
【図４】
2013191251.tif 000006
【図５】
2013191251.tif 000007
【図６】
2013191251.tif 000008